(57)【特許請求の範囲】
【請求項１】
映像再生装置からのアナログコンポーネント映像信号が供給される端子であって、かつ該映像信号の映像フォーマットを識別する為の識別信号が入力される複数の識別信号ラインを有するＤ端子を備えた映像表示装置において、
所定の電圧を有する電圧源と、
前記電圧源からの電圧を、抵抗を介して前記複数の識別信号ラインの少なくとも所定の１ラインに印加する電圧印加手段と、
前記電圧印加されたラインの電圧値を測定し、該測定値に基づいて前記識別信号の伝送の有無を検出する識別信号検出手段と、
前記複数の識別信号ラインに入力された前記識別信号に基づいて、前記Ｄ端子を介して入力される前記映像信号の映像フォーマットを判別する第１のフォーマット判別手段と、
前記入力映像信号の同期信号を計数し、該計数値に基づいて前記映像信号の映像フォーマットを判別する第２のフォーマット判別手段と、を有し、
前記Ｄ端子には、前記アナログコンポーネント映像信号として、前記映像再生装置のＤ端子から出力された第１のコンポーネント映像信号と、前記映像再生装置の輝度信号及び２つの色差信号をＤ端子仕様に変換した第２のコンポーネント映像信号のいずれかが入力可能であり、
前記識別信号検出手段は、前記測定した前記電圧値に基づいて、前記Ｄ端子に供給される前記アナログコンポーネント映像信号が前記第１または第２のコンポーネント映像信号のいずれかを判別するものであり、
該識別信号検出手段が、前記Ｄ端子に前記第１のコンポーネント映像信号が入力されていると判定した場合は、前記第１のフォーマット判別手段からの第１の判別結果を用いて入力映像信号の映像フォーマットを決定し、前記Ｄ端子に前記第２のコンポーネント映像信号が入力されていると判定した場合は、前記第２のフォーマット判別手段からの第２の判別結果を用いて入力映像信号の映像フォーマットを決定するように構成したことを特徴とする映像表示装置。
【請求項２】
請求項１に記載の映像表示装置において、更に制御回路と、前記第１または第２のコンポーネント映像信号に対して信号処理を行う信号処理回路とを備え、
前記制御回路は、前記Ｄ端子に前記第１映像信号が入力されている場合には、前記第１のフォーマット判別手段によって判定された映像フォーマットに応じた映像信号処理を前記第１のコンポーネント映像信号に対して行うように前記信号処理回路を制御し、
前記Ｄ端子に前記第２のコンポーネント映像信号が入力されている場合には、前記第２のフォーマット判別手段によって判定された映像フォーマットに応じた映像信号処理を前記第２のコンポーネント映像信号に対して行うように前記信号処理回路を制御することを特徴とする映像表示装置。
【請求項３】
請求項１または２に記載の映像表示装置において、前記Ｄ端子の識別信号ラインは、前記アナログコンポーネント映像信号の走査線数を識別するための第１識別信号が入力される第１識別信号ラインと、前記アナログコンポーネント映像信号の走査形式を識別するための第２識別信号が入力される第２識別信号ラインとを含み、
前記識別信号検出手段は、前記第１識別信号ライン及び前記第２識別信号ラインから検出された電圧値がいずれもＨレベルの場合は、前記Ｄ端子に前記第２のコンポーネント映像信号が入力されていると判定することを特徴とする映像表示装置。
【請求項４】
請求項１または２に記載の映像表示装置において、前記Ｄ端子の識別信号ラインは、前記アナログコンポーネント映像信号の走査形式を識別するための識別信号が入力される識別信号ラインを含み、
前記識別信号検出手段は、前記識別信号ラインから検出された電圧値が所定の中間レベルの場合は、前記Ｄ端子に前記第２のコンポーネント映像信号が入力されていると判定することを特徴とする映像表示装置。
【発明の詳細な説明】
【０００１】
【発明の属する技術分野】
本発明はアナログコンポーネント映像信号の入力端子であるＤ端子を備えたテレビ、ディスプレイ等の映像表示装置に関する。
【０００２】
【従来の技術】
ディジタルチューナやビデオディスクプレーヤ等のアナログコンポーネント映像信号を出力する映像再生装置の映像信号出力端子には、日本電子機械工業会規格ＥＩＡＪ  ＣＰ−４１２０「デジタルチューナーとテレビジョン受信機のＤ端子接続」（以下ＥＩＡＪ  ＣＰ−４１２０と略す）で定められたＤ端子から出力する形態と、輝度信号１系統と色差信号２系統をそれぞれ独立した３個の端子から出力する形態とがある。
【０００３】
映像再生装置からのこれら２つの形態の出力を映像表示装置のＤ端子に入力する場合、Ｄ端子からの出力はＤ端子ケ−ブルで接続されるが、独立した３個の端子からの出力は、変換ケーブルにより擬似的にＤ端子仕様に変換して映像表示装置のＤ端子に入力されることになる。
【０００４】
映像再生装置から映像表示装置のＤ端子に信号を入力する場合、前者のＤ端子から出力された信号においては、ＥＩＡＪ  ＣＰ−４１２０に従い、Ｄ端子の３本の識別信号ライン（ライン１，ライン２，ライン３）の識別信号（直流電圧値）を読み取ることによって、入力信号の映像フォーマットが525i、525p、1125i、750p、1125pの何れであるかを判別できる。ここで、iは飛び越し走査を、pは順次走査を示す。この判別法を、以下識別信号判別法と称す。
【０００５】
図７は、ＥＩＡＪ  ＣＰ−４１２０の表５に規定された、識別信号ラインの直流電圧値による映像フォーマットの判別規準を表す。図８は、前記規格の図７で規定されたＤ端子の表示を示す。例えば、Ｄ2と表示されたＤ端子を有する映像表示装置においては、525iと525pの映像フォーマットの映像信号が対応可能、すなわち表示可能である。
【０００６】
一方、後者の輝度信号と色差信号をそれぞれ独立した３個の端子から出力する端子から出力される信号においては、変換ケーブルにより擬似的にＤ端子仕様に変換されるが、Ｄ端子の識別信号ラインに識別信号が伝送されない。その為、前記識別信号による映像フォーマットを判別する方法は不可能である。そこで、この場合は、Ｄ端子に入力される映像信号から同期信号を抽出し、その数（信号の周波数）を計測することによって映像フォーマットを判別する方法が一般的である。この判別法を以下周波数判別法と称す。
【０００７】
この２種類の出力端子形態を持つ映像再生装置に対し、Ｄ端子を備えた映像表示装置においては、どちらの出力形態にも対応できるように、識別信号によって映像フォーマットを判別する方法を用いずに、映像信号の周波数によって映像フォーマットを判別する周波数判別法のみが採用されている場合が殆どである。
【０００８】
【発明が解決しようとする課題】
映像信号の周波数によって映像フォーマットを判別する周波数判別法のみを採用した映像表示装置は、２種類の出力端子形態を持つ映像再生装置に容易に対応できるという利点がある。しかし、この方法は、映像信号から同期信号を抽出し、周波数を計測するプロセスの処理時間を要する為、識別信号によって映像フォーマットを判別する識別信号判別法（直流電圧値のみの判定）に比べて、判別時間が長く掛かるといった欠点がある。
【０００９】
従って、輝度信号１系統と色差信号２系統をそれぞれ独立した３個の端子から出力する形態の場合は、周波数判別法で良いが、映像再生装置がＤ端子から出力される形態の場合は、識別信号によって映像フォーマットを判別する識別信号判別法の方が優れていると言える。
【００１０】
例えば、入力される映像フォーマットが切り換わった場合に、一般的な映像表示装置では映像フォーマット判別中に発生する信号処理回路のノイズ等の異常映像を見えなくするため、映像非表示（MUTE）処理を施すのが殆どである。ここで、従来の方法では、少なくとも、映像信号から同期信号を抽出し、周波数を計測するプロセスの間は、映像非表示（MUTE）処理を施す必要がある。これに対し、Ｄ端子出力を備えた映像再生装置から入力された信号においては、識別信号によって映像フォーマットを判別する方法を採用すれば、瞬時に映像フォーマットの判別時間が可能であり、映像非表示（MUTE）時間を短縮できる。一般の映像表示装置において、この映像非表示（MUTE）時間は短ければ短いほど良いとされる。
【００１１】
本発明の目的は、周波数判別法と識別信号判別法とを備えた映像表示装置において、上記の課題を解決し、映像信号が映像再生装置のＤ端子から入力された場合には、前記識別信号判別法を使用して判別時間を短縮するようになした映像表示装置を提供することにある。
【００１２】
【課題を解決するための手段】
上記した課題を解決するために、本発明は、映像再生装置からのアナログコンポーネント映像信号が供給される端子であって、かつ該映像信号の映像フォーマットを識別する為の識別信号が入力される複数の識別信号ラインを有するＤ端子を備えた映像表示装置において、所定の電圧を有する電圧源と、前記電圧源からの電圧を、抵抗を介して前記複数の識別信号ラインの少なくとも所定の１ラインに印加する電圧印加手段と、前記電圧印加されたラインの電圧値を測定し、該測定値に基づいて前記識別信号の伝送の有無を検出する識別信号検出手段と、前記複数の識別信号ラインに入力された前記識別信号に基づいて、前記Ｄ端子を介して入力される前記映像信号の映像フォーマットを判別する第１のフォーマット判別手段と、前記入力映像信号の同期信号を計数し、該計数値に基づいて前記映像信号の映像フォーマットを判別する第２のフォーマット判別手段と、を有し、前記Ｄ端子には、前記アナログコンポーネント映像信号として、前記映像再生装置のＤ端子から出力された第１のコンポーネント映像信号と、前記映像再生装置の輝度信号及び２つの色差信号をＤ端子仕様に変換した第２のコンポーネント映像信号のいずれかが入力可能であり、前記識別信号検出手段は、前記測定した前記電圧値に基づいて、前記Ｄ端子に供給される前記アナログコンポーネント映像信号が前記第１または第２のコンポーネント映像信号のいずれかを判別するものであり、該識別信号検出手段が、前記Ｄ端子に前記第１のコンポーネント映像信号が入力されていると判定した場合は、前記第１のフォーマット判別手段からの第１の判別結果を用いて入力映像信号の映像フォーマットを決定し、前記Ｄ端子に前記第２のコンポーネント映像信号が入力されていると判定した場合は、前記第２のフォーマット判別手段からの第２の判別結果を用いて入力映像信号の映像フォーマットを決定するように構成したことを特徴とする。
【００１３】
前記Ｄ端子の識別信号ラインは、前記アナログコンポーネント映像信号の走査線数を識別するための第１識別信号が入力される第１識別信号ラインと、前記アナログコンポーネント映像信号の走査形式を識別するための第２識別信号が入力される第２識別信号ラインとを含んでおり、前記識別信号検出手段は、前記第１識別信号ライン及び前記第２識別信号ラインから検出された電圧値がいずれもＨレベルの場合は、前記Ｄ端子に前記第２のコンポーネント映像信号が入力されていると判定してもよい。更に、上記第２識別信号ラインから検出された電圧値が所定の中間レベルのときに、前記Ｄ端子に前記第２のコンポーネント映像信号が入力されていると判定してもよい。
【００１４】
【発明の実施の形態】
以下、本発明の実施の形態を図面を用いて説明する。
【００１５】
先ず本発明によるＤ端子入力回路の要部機能ブロック構成について説明する。図１は本発明の一実施の形態を示すブロック図であり、ＥＩＡＪ  ＣＰ−４１２０に規定された、Ｄ１映像入力、Ｄ２映像入力、Ｄ３映像入力、及びＤ４映像入力に対応した構成を示したものである。図示のように、Ｄ端子入力回路16では、Ｄ端子11の識別信号ライン１と信号識別ライン２に電圧源12から抵抗器13と14を介して電圧を印加する。この電圧が印加された識別信号ラインを直流電圧判定回路15に入力する。
【００１６】
ここで、直流電圧判定回路15の動作を図２で説明する。図２において、Ｌは０Ｖ、Ｈは５Ｖ、Ｍは２.２Ｖの電圧値を示し、直流電圧判定回路15はそれぞれの電圧値に対して適度な範囲内で検出できる回路とする。直流電圧判定回路15は識別信号ライン１と識別信号ライン２が共にＨの時にＨを出力し、その他の時はＬを出力する。このような回路は公知の簡単なロジック回路で構成できるので、詳述はしない。
【００１７】
この時、本実施の形態では、Ｄ５映像入力には対応していない、すなわち1125pには対応していないので、図７に示す表から識別信号ライン１と識別信号ライン２が共にＨとなることは無い。そこで図１に示す様に、電圧源12の電圧値を５Ｖとすることにより、識別信号ライン１と識別信号ライン２に何も接続されない疑似Ｄ端子仕様の場合は、識別信号ライン１と識別信号ライン２が共に５Ｖとなり、直流電圧判定回路15の出力はＨとなる。また、識別信号ライン１と識別信号ライン２に映像再生装置からの識別信号が入力されたＤ端子の場合は、それらの識別信号が共に５Ｖでない限り、直流電圧判定回路15の出力はＬとなる。
【００１８】
前記したように、Ｄ１映像入力、Ｄ２映像入力、Ｄ３映像入力、及びＤ４映像入力ではいずれにおいても、図７と図８から明らかなように、識別信号ライン１と識別信号ライン２が共に５Ｖとなることはないので、直流電圧判定回路15の出力がＨの場合は、識別信号ライン１と識別信号ライン２に何も接続されていない疑似Ｄ端子仕様と判断できる。すなわち、直流電圧判定回路15の出力がＨの場合は、識別信号ラインに何も接続されていないので、Ｄ端子11に伝送映像信号は輝度信号と色差信号をそれぞれ独立した３個の端子から出力された信号であると判定できる。一方、直流電圧判定回路15の出力がＬの場合は、識別信号ラインに識別信号（直流電圧）が存在するので、Ｄ端子11に供給された映像信号はＤ端子から出力された映像信号であると判定できる。
【００１９】
図３は、図１のＤ端子入力回路16を組み込んだ映像表示装置の一実施の形態を示すブロック図である。図３の映像表示装置は、Ｄ端子11、図1に示すＤ端子入力回路16、識別信号判定回路20、制御回路25、同期分離回路21、カウンタ22、同期信号判別回路23、信号処理回路24、映像表示部26で構成される。図３において、出力２は、識別信号判定回路20から制御回路20へ出力される判別結果である。図３において、図１に同一な部分には同一符号を付してある。
【００２０】
この映像表示装置では、複数種類の映像フォーマットを有した入力映像信号を映像表示部26に表示する為に、信号処理回路24（例えば走査線補間回路、映像拡大/縮小回路、等）を備えており、映像フォーマットに応じた信号処理方法の切り換えを制御回路25で制御する。制御回路25が信号処理回路24の信号処理方法を切り換えるには、先ず入力映像信号の映像フォーマットを判別する必要があるが、それに対して図３の映像表示装置は２種類の判別方法を有する。
【００２１】
判別方法の一つは、Ｄ端子11に入力される映像信号から同期分離回路21により同期信号を分離抽出し、カウンタ22で計測した同期信号の数（信号の周波数）に基づき同期信号判別回路23にて映像フォーマットを判別する周波数判別法であり、その判別結果を制御回路25へ出力する。
【００２２】
他の一つの方法は、Ｄ端子11に入力される識別信号ライン１〜３の識別信号である直流電圧値を識別信号判別回路20で読み取り、映像フォーマットを判別する識別信号判別法であり、その判別結果を制御回路25へ出力する。
【００２３】
図３の映像表示装置ではこの２種類の判別方法を使い分ける手段として、Ｄ端子入力回路16の出力電圧を用いる。Ｄ端子入力回路16の出力１がＬの時は、識別信号判別法を用い、識別信号判別回路20にて入力信号の映像フォーマットを判別し、その判別結果により、制御回路25は信号処理回路24の信号処理方法を切り換える。また、Ｄ端子入力回路16の出力１がＨの時は、周波数判別法を用い、同期信号判別回路23にて入力信号の映像フォーマットを判別し、その判別結果により、信号処理回路24の信号処理方法を切り換える。この映像フォーマットの判別により、Ｄ端子から出力された映像信号と、輝度信号と色差信号をそれぞれ独立した３個の端子から出力された映像信号のそれぞれに対して、信号処理方法の切り換えを最短時間で行うことができる。
【００２４】
図４は、図３の映像表示装置において、識別信号ライン１、２は入力映像信号の形態を判定するＤ端子入力回路16と、入力映像信号の映像フォーマットを判別する識別信号判別回路20の双方に供給しているので、これを1つの識別信号判別回路27で兼用した例である。図４において、図３に同一な部分には同一符号を付して説明を省略する。この識別信号判別回路27の出力２は、図３の識別信号判別回路20の出力２と同じで、識別信号１〜３の直流電圧をそれぞれ適度な範囲で検出して、入力がＨの時はＨ、入力がＭの時はＭ、入力がＬの時はＬの電圧を出力するものである。また、出力１は図３のＤ端子入力回路16の出力１と同じで、図２に示す出力である。このように、本実施の形態では、従来の識別信号判定回路に対して小規模の追加部品で対応できる利点がある。
【００２５】
図５は図１のＤ端子入力回路で対応したＤ１映像入力、Ｄ２映像入力、Ｄ３映像入力、Ｄ４映像入力に加え、Ｄ５映像入力にも対応した構成を示した例で、図７から明らかなように、Ｄ端子から出力された映像信号では、識別信号ライン２がＨ（５Ｖ）とＬ（０Ｖ）の直流電圧しか取り得ないことを利用している。図５の例では、Ｄ端子11の信号識別ライン２に電圧源32からの電圧を抵抗器33と34で分圧して印加する。ここで、Ｄ端子11に何も接続されない時の信号識別ライン２の電圧が直流電圧判定回路でＭと判定される２.２Ｖ前後となるように電圧源32の電圧値と抵抗器33と34の抵抗値を定める。図１のＤ端子入力回路と同様に識別信号ラインを直流電圧判定回路35に入力するものであるが、直流電圧判定回路35ではそれぞれの電圧に応じて図６のような出力処理を行う。図６においても図２と同様に、Ｌは０Ｖ、Ｈは５Ｖ、Ｍは２.２Ｖの電圧値を示すが、直流電圧判定回路35はそれぞれを適度な範囲内で検出できる回路とする。ここで、識別信号ライン２に何も接続されない疑似Ｄ端子仕様の場合には、識別信号ライン２が２.２Ｖとなり、直流電圧判定回路35の出力はＨとなる。また、識別信号ライン２に映像再生装置からの識別信号が伝送されるＤ端子からの出力映像信号の場合には、その識別信号が０Ｖでも５Ｖでも、直流電圧判定回路35の出力はＬとなる。Ｄ１映像入力、Ｄ２映像入力、Ｄ３映像入力、Ｄ４映像入力、及びＤ５映像入力のいずれにおいても識別信号ライン２が２.２Ｖとなることはないので、出力がＨの場合は識別信号ライン２に何も接続されていないと判断できる。
【００２６】
また、図３の映像表示装置において、Ｄ端子入力回路16の代わりに図５のＤ端子入力回路36を組み込めば、Ｄ１映像入力、Ｄ２映像入力、Ｄ３映像入力、Ｄ４映像入力に加え、Ｄ５映像入力まで対応可能である。
【００２７】
以上の実施の形態では、抵抗を介して識別信号ラインに印加する電圧値として、Ｈの５Ｖ、或いはＭの２.２Ｖの場合について説明したが、本願発明はこれに限るものではなく、識別信号として用いる直流電圧値を抵抗を介して識別信号ラインの少なくとも１ラインに印加する場合においても適用可能である。例えば、前記ＥＩＡＪ ＣＰ−４１２０においては、Ｈは３．５〜５Ｖの範囲、Ｍは１．４〜２.４Ｖの範囲であることから、印加電圧値を略１．０Ｖ或いは略３．０Ｖとしても識別信号の有無を検出することが可能である。
【００２８】
【発明の効果】
本発明により、Ｄ端子に供給された映像信号が、Ｄ端子からのアナログコンポーネント映像信号か、輝度信号と色差信号をそれぞれ独立した３個の端子から出力されたアナログコンポーネント映像信号かを容易に判別できる。そして、この判別結果に基づいて、Ｄ端子から出力された映像信号の場合には、映像フォーマットの判別を瞬時に行うことが可能となり、２種類の出力形態の映像信号の切換えに対して最短時間で信号処理方法の切り換えができる。
【図面の簡単な説明】
【図１】本発明のＤ端子入力回路の一実施の形態を示すブロック図である。
【図２】図１に示すＤ端子入力回路の直流電圧判定回路の動作を説明する表である。
【図３】図１に示すＤ端子入力回路を組み込んだ本発明の映像表示装置の一実施の形態を示すブロック図である。
【図４】本発明の映像表示装置の他の一実施の形態を示すブロック図である。
【図５】本発明のＤ端子入力回路の他の一実施の形態を示すブロック図である。
【図６】図５に示すＤ端子入力回路の直流電圧判定回路の動作を説明する表である。
【図７】Ｄ端子の識別信号ラインの直流電圧値による映像フォーマットの判別規準を示す表である。
【図８】Ｄ端子の表示規定を示す表である。
【符号の説明】
11…Ｄ端子、12，32…電圧源、13，14，33，34…抵抗器、15，35…直流電圧判定回路、16，36…Ｄ端子入力回路、20，27…識別信号判別回路、21…同期分離回路、22…カウンタ、23…同期信号判別回路、24…信号処理回路、25…制御回路、26…映像表示部。
【図１】
0003945181.tif 000002
【図２】
0003945181.tif 000003
【図３】
0003945181.tif 000004
【図４】
0003945181.tif 000005
【図５】
0003945181.tif 000006
【図６】
0003945181.tif 000007
【図７】
0003945181.tif 000008
【図８】
0003945181.tif 000009